(57)【要約】【課題】  電子機器の遠隔操作を簡単な操作で行うことができる遠隔操作装置を提供する。【解決手段】  遠隔操作装置１０は、電子機器５に、当該電子機器５の操作指令となる信号Ｓａ、Ｓｂ、Ｓｃ、Ｓｄ、Ｓｅを送信する遠隔操作装置１０であって、この信号Ｓａ、Ｓｂ、Ｓｃ、Ｓｄ、Ｓｅを発信する信号発信手段１１ａ、１２ｂ、１２ｃ、１２ｄ、１２ｅを備え、この信号発信手段１１ａ、１２ｂ、１２ｃ、１２ｄ、１２ｅが、互いに異なる種類の信号を互いに発散する方向へ発信することを特徴とする。【選択図】      図１
2005303366.tif 000002
【特許請求の範囲】
【請求項１】
電子機器に、当該電子機器の操作指令となる信号を送信する遠隔操作装置であって、
前記信号を発信する信号発信手段を複数備え、
前記信号発信手段が、互いに異なる種類の前記信号を互いに発散する方向に発信することを特徴とする遠隔操作装置。
【請求項２】
電子機器に、当該電子機器の操作指令となる信号を送信する遠隔操作装置であって、
互いに異なる種類の前記信号を発信する複数の信号発信手段と、
少なくとも一つの前記信号発信手段から発信された信号の一部を遮断して、他の種類の信号との照射範囲の重複を防止する信号遮断手段とを備えることを特徴とする遠隔操作装置。
【請求項３】
請求項１又は請求項２に記載の遠隔操作装置から、電子機器に対する操作指令となる信号を受信して、前記操作指令を解析する信号受信制御装置であって、
前記操作指令を、前記信号の種類の組み合わせで予め定型化して記憶する信号パターン記憶手段と、
前記信号を受信する信号受信手段と、
この信号受信手段によって受信した信号の種類を識別する信号識別手段と、
前記信号パターン記憶手段に記憶した組み合わせと、前記信号識別手段によって識別された信号の種類とに基づいて、前記操作指令を解析して前記電子機器に出力する信号解析手段とを備えることを特徴とする信号受信制御装置。
【請求項４】
請求項１又は請求項２に記載の遠隔操作装置から、電子機器に対する操作指令となる信号を受信して、信号パターン記憶装置に記憶された、前記操作指令に対応させて予め定型化した前記信号の種類の組み合わせに基づいて、前記操作指令を解析するために、コンピュータを、
前記信号を受信する信号受信手段、
この信号受信手段によって受信した信号の種類を識別する信号識別手段、
前記信号パターン記憶装置に記憶した組み合わせと、前記信号識別手段によって識別された信号の種類とに基づいて、前記操作指令を解析して、前記電子機器に出力する信号解析手段として機能させることを特徴とする信号受信制御プログラム。
【発明の詳細な説明】
【技術分野】
【０００１】
本発明は、電子機器を遠隔操作する技術に関し、特に電子機器の操作指令となる信号を発信する遠隔操作装置と、その信号から操作指令を解析する信号受信制御装置及び信号受信制御プログラムに関する。
【背景技術】
【０００２】
従来、テレビジョン受像機などの多くの電子機器は、リモコン装置によってオン、オフや、表示画面に表示される情報内容の選択切替などを遠隔操作できるように設計されており、かつ、このようなリモコン装置はユーザに広く利用されている。特に、家庭用の電子機器に利用されるリモコン装置は、そのほとんどがボタン（キー）操作によって遠隔操作を行うボタン押下式のものである。このようなリモコン装置は薄型箱状のリモコン装置本体の上部に複数のボタンが配置され、ユーザが片手でリモコン装置を保持しながらボタンを押下することにより、各ボタンに対応した赤外線信号がリモコン装置から発信される。すると、電子機器がこの赤外線信号を受信して、その赤外線信号の示す操作指令に対応した動作を行うことによって遠隔操作が実現されている。
【０００３】
また、ボタン操作を行わなくてもチャンネル選択などができる遠隔操作装置が開示されている（特許文献１参照）。この装置によれば、リモコン本体に固定電極と可動電極とが設けられた信号発生部が搭載されていて、リモコン本体を１回振るごとに固定電極と可動電極とが接触して１パルスの電気信号が発生する。そして、遠隔操作装置は、振られた回数に対応して発生した電気信号のパルス数をカウントし、そのパルス数に応じた制御コードを含む赤外線信号を受信側の電子機器へ送信する。これによって、受信側の電子機器に対して制御コードに対応したチャンネル選択操作などを行うことができる。この場合、ユーザは遠隔操作装置のボタン操作を行わなくてもよいので、手指などが不自由なユーザなどにとっても容易に遠隔操作装置の操作を行うことができる。
【特許文献１】特開２００１−５７６９３号公報（段落番号００１０〜００１８、図１〜図４等）
【発明の開示】
【発明が解決しようとする課題】
【０００４】
しかしながら、電子機器に対して行う遠隔操作の内容の多様化や複雑化に伴い、従来のリモコン装置におけるボタン操作も複雑なものとなる。また、受信側の電子機器に表示された多数のメニューの中から所望のメニューを選択するような表示画面に対応した遠隔操作の際には、ユーザはリモコン装置と表示画面とを交互に見ながらボタン操作を行わなければならず、このような遠隔操作は従来のリモコン装置によるボタン操作によって行うのには適していない。
【０００５】
つまり、例えば、テレビ番組等の録画を行うハードディスクレコーダやＤＶＤ（Ｄｉｇｉｔａｌ  Ｖｅｒｓａｔｉｌｅ  Ｄｉｓｋ）レコーダ等における番組名などの文字列入力を行う場合には、受信側の電子機器の表示画面上に五十音順にならべられた平仮名・カタカナ・英数字などが表示され、ユーザはリモコン装置の「上」・「下」・「左」・「右」の各ボタンを操作して画面上のカーソルを所望の位置まで移動させ、「決定」ボタンを押し下げることによって、表示画面上の文字を１つずつ選択して文字入力を行わなければならず、ユーザのボタン操作は複雑なものとなる。また、文字を選択する際には、ユーザはリモコン装置と表示画面とを交互に見ながらボタン操作を行わなければならず、ユーザがリモコン装置を見ずに表示画面だけを見ながらこのような遠隔操作を行うためにはかなりの訓練や慣れが必要となる。そして、このようなリモコン装置は、手指の不自由なユーザなどには非常に使いづらいものとなっている。
【０００６】
一方、特許文献１に開示されたリモコン装置はボタンを押下しなくてもよいので、手指の不自由なユーザなどにとっては使い勝手がよくなるものの、文字列入力等の複雑な遠隔操作を、このリモコン装置で実現しようとすると、ユーザはリモコン装置を何回も振らなければならず、結果的に使い勝手が悪く操作に時間がかかるものとなる。
【０００７】
本発明は、前記従来技術の課題を解決するために成されたもので、電子機器の遠隔操作を簡単な操作で行うことができる遠隔操作装置、信号受信制御装置及び信号受信制御プログラムを提供することを目的とする。
【課題を解決するための手段】
【０００８】
前記課題を解決するため、請求項１に記載の遠隔操作装置は、電子機器に、当該電子機器の操作指令となる信号を送信する遠隔操作装置であって、前記信号を発信する信号発信手段を複数備え、前記信号発信手段が互いに異なる種類の前記信号を互いに発散する方向に発信する構成とした。
【０００９】
かかる構成によれば、遠隔操作装置は、複数の信号発信手段によって、互いに異なる種類の信号を互いに発散する方向に発信する。そして、遠隔操作装置は、信号発信手段から発信される信号の照射範囲に、対象となる電子機器が含まれるように、ユーザによって当該遠隔操作装置の向きを変えられることで、当該電子機器に対する操作指令となるその信号を電子機器に向かって発信することができる。
【００１０】
ここで、信号発信手段によって発信される互いに異なる種類の信号には、例えば、周波数が互いに異なる信号や、互いに異なる間隔での信号のオン、オフからなる信号等を用いることができる。
【００１１】
また、請求項２に記載の遠隔操作装置は、電子機器に、当該電子機器の操作指令となる信号を送信する遠隔操作装置であって、互いに異なる種類の前記信号を発信する複数の信号発信手段と、少なくとも一つの前記信号発信手段から発信された信号の一部を遮断して、他の種類の信号との照射範囲の重複を防止する信号遮断手段とを備える構成とした。
【００１２】
かかる構成によれば、遠隔操作装置は、複数の信号発信手段によって、互いに異なる種類の信号を発信する。そして、信号遮断手段によって、信号発信手段から発信された信号の一部であり、他の種類の信号と照射範囲が重複する信号を遮断することで、照射範囲の重複を防止する。これによって、遠隔操作装置は、複数の信号を、互いに重複しないように異なる方向に送信でき、ユーザによって所定の向きに向けられることで、当該電子機器に対する操作指令となる所定の信号を送信することができる。
【００１３】
ここで、照射範囲とは、信号が照射される空間の範囲であり、信号の進路となる領域を示す。この照射範囲が互いに重複する信号の少なくとも一方の信号について、信号遮断手段が、この重複する部分の信号を遮断することで、これらの信号の重複を防ぐことができる。
【００１４】
また、請求項３に記載の信号受信制御装置は、請求項１又は請求項２に記載の遠隔操作装置から、電子機器に対する操作指令となる信号を受信して、前記操作指令を解析する信号受信制御装置であって、信号パターン記憶手段と、信号受信手段と、信号識別手段と、信号解析手段とを備える構成とした。
【００１５】
かかる構成によれば、信号受信制御装置は、信号パターン記憶手段によって、電子機器に対する操作指令を、遠隔操作装置から発信される信号の種類の組み合わせで予め定型化して記憶する。また、信号受信手段によって、遠隔操作装置から発信される信号を受信し、信号識別手段によって、信号受信手段で受信した信号の種類を識別する。更に、信号解析手段によって、信号パターン記憶手段に記憶した組み合わせと、信号識別手段によって識別された信号の種類とに基づいて、電子機器に対する操作指令を解析して当該電子機器に出力する。
【００１６】
これによって、遠隔操作装置から発信される複数の信号のうち、複数の種類の組み合わせを、予め電子機器に対する操作指令と対応させておくことで、信号受信制御装置は、当該組み合わせと一致する信号を遠隔操作装置から受信した場合には、この組み合わせに対応する操作指令を電子機器に出力することができる。
【００１７】
また、請求項４に記載の信号受信制御プログラムは、請求項１又は請求項２に記載の遠隔操作装置から、電子機器に対する操作指令となる信号を受信して、信号パターン記憶装置に記憶された、前記操作指令に対応させて予め定型化した前記信号の種類の組み合わせに基づいて、前記操作指令を解析するために、コンピュータを、信号受信手段、信号識別手段、信号解析手段として機能させることとした。
【００１８】
かかる構成によれば、信号受信制御プログラムは、信号受信手段によって、遠隔操作装置から発信される信号を受信し、信号識別手段によって、この信号受信手段で受信した信号の種類を識別する。更に、信号解析手段によって、信号パターン記憶装置に記憶された、電子機器に対する操作指令に対応させて予め定型化した信号の種類の組み合わせと、信号識別手段によって識別された信号の種類とに基づいて、電子機器に対する操作指令を解析して当該電子機器に出力する。
【００１９】
これによって、遠隔操作装置から発信される複数の信号を受信し、受信した複数の信号の種類の組み合わせから、この組み合わせに対応する操作指令を解析して、電子機器に出力することができる。
【発明の効果】
【００２０】
本発明に係る遠隔操作装置、信号受信制御装置及び信号受信制御プログラムでは、以下のような優れた効果を奏する。
【００２１】
請求項１に記載の発明によれば、当該遠隔操作装置を揺動させる簡単な操作で、電子機器の遠隔操作を行うことができる。そのため、ボタン操作のような指先での細かい操作を行う必要がなく、手の不自由なユーザなどにとっても操作しやすい遠隔操作装置を提供できる。また、遠隔操作装置を揺動させる操作では、複数のボタンの操作のように操作する手元を見る必要がなく、ユーザは電子機器の表示画面等を見ながら操作することができるので、表示画面等を見ながら行う遠隔操作に適した遠隔操作装置を提供することができる。
【００２２】
更に、遠隔操作装置は、ユーザによって所定の向きに向けられることで、所定の信号を電子機器に送信する。そのため、ユーザが遠隔操作装置をある方向に揺動させる動作やある方向に向けた状態を保持する動作によってこの遠隔操作装置が電子機器に送信する信号の種類の組み合わせを、遠隔操作装置を向ける方向や遠隔操作装置の動きに関連する操作指令に予め対応させておくことで、直観的に遠隔操作が行える遠隔操作装置とすることができる。つまり、例えば、電子機器の表示画面上のカーソルを上下左右などの方向に移動させる指令を、遠隔操作装置をその方向に向ける動作と対応させたり、現在のカーソルの位置で決定する指令を、円を描くように遠隔操作装置を動かす動作と対応させたりするような、操作指令の内容に関連のある遠隔操作装置の動きを予め対応させることで、訓練や慣れを必要とせず、操作を覚えやすく容易に扱える遠隔操作装置とすることができる。
【００２３】
請求項２に記載の発明によれば、遠隔操作装置は、信号遮断手段によって、他の信号と重複しないように信号の一部を遮断する。そのため、信号発信手段によって発信される信号の方向やビーム幅を、各々の信号が重ならないように調整する必要がなく、例えば、所定のビーム幅を有する既存の信号発信手段を用いて、信号同士が重複しないように異なる方向に信号を発信する遠隔操作装置を容易に作製することができる。
【００２４】
請求項３又は請求項４に記載の発明によれば、遠隔操作装置から入力される複数の信号の種類の組み合わせを、電子機器に対する操作指令として認識できるので、１つの信号に１つの操作指令を対応させた場合には、信号発信手段の数の操作指令しか認識できないところ、信号の組み合わせで操作指令を特定することで、少ない種類の信号から多くの様々な操作指令を認識することができる。
【発明を実施するための最良の形態】
【００２５】
以下、本発明の実施の形態について図面を参照して説明する。なお、ここでは本発明を、テレビジョン受像機の遠隔操作を行う遠隔操作装置と、テレビジョン受像機の内部に組み込まれ、遠隔操作装置からの信号を受信して操作指令を解析する信号受信制御装置として構成し、全体を遠隔操作システムとして説明する。
【００２６】
［遠隔操作システムの構成］
まず、図１を参照して、本発明の実施の形態である遠隔操作システム１の構成について説明する。図１は、本発明における遠隔操作システム１を模式的に示す説明図である。遠隔操作システム１は、遠隔操作装置１０と、テレビジョン受像機５とを備え、遠隔操作装置１０から送信された信号に基づいて、テレビジョン受像機５の遠隔操作を行うシステムである。
【００２７】
遠隔操作装置１０は、テレビジョン受像機５に対する操作指令となる信号を発信する複数の信号発信部１１ａ、１２ｂ、１２ｃ、１２ｄ、１２ｅを備え、この信号発信部１１ａ、１２ｂ、１２ｃ、１２ｄ、１２ｅから互いに発散する方向へ向けて異なる種類の信号Ｓａ、Ｓｂ、Ｓｃ、Ｓｄ、Ｓｅを発信するものである。この遠隔操作装置１０は、ある信号発信部から発信される信号の照射範囲にテレビジョン受像機５の信号受信部１０１が含まれるように、ユーザによって当該遠隔操作装置１０の向きを変えられることで、その信号を信号受信部１０１に受信させることができる。
【００２８】
テレビジョン受像機（電子機器）５は、一般的なテレビジョン受像機であり、更に、遠隔操作装置１０からの信号を受信して、この信号からテレビジョン受像機５に対する操作指令を解析する信号受信制御装置６を備えている。
【００２９】
以下、遠隔操作システム１において、遠隔操作装置１０と、信号受信制御装置６を備えるテレビジョン受像機５とについて詳細に説明する。
【００３０】
［遠隔操作装置の構成］
まず、図２を参照（適宜図１参照）して、本発明の実施の形態である遠隔操作装置１０の構成について説明する。図２は、本発明における遠隔操作装置１０の構造を示す斜視図である。
【００３１】
図２に示すように、遠隔操作装置１０は、四角形の板状の第１ベース部１１及び第２ベース部１２と、この第１ベース部１１の後面と第２ベース部１２の前面との間に介在し、両ベース部１１、１２を所定の間隙をもたせて平行に保持する介在部１３と、第２ベース部１２から延在されたスティック１４とを備えている。なお、ここでは、スティック１４の一端に、介在部１３を介して両ベース部１１、１２が所定の間隔で固着接合されている。
【００３２】
第１ベース部（信号遮断手段）１１は、その前面の中央部付近にＡ信号発信部（信号発信手段）１１ａを備えている。また、第２ベース部１２は、その前面において上下左右の各辺の中央部付近に、それぞれ、Ｂ信号発信部（信号発信手段）１２ｂと、Ｃ信号発信部（信号発信手段）１２ｃと、Ｄ信号発信部（信号発信手段）１２ｄと、Ｅ信号発信部（信号発信手段）１２ｅとを備えている。そして、各信号発信部１１ａ、１２ｂ、１２ｃ、１２ｄ、１２ｅは、それぞれ異なる方向に向けて第１ベース部１１及び第２ベース部１２に配置され、それぞれ異なる方向へ信号Ｓａ、Ｓｂ、Ｓｃ、Ｓｄ、Ｓｅを発信する。なお、信号発信部１１ａ、１２ｂ、１２ｃ、１２ｄ、１２ｅは、第１ベース部１１あるいは第２ベース部１２内部に、信号Ｓａ、Ｓｂ、Ｓｃ、Ｓｄ、Ｓｅを生成するための信号生成部（図示せず）を備えている。
【００３３】
ここで、図３を参照して、遠隔操作装置１０から発信される信号について説明する。図３（ａ）は、図２に示す遠隔操作装置１０の各信号発信部１１ａ、１２ｂ、１２ｃ、１２ｄ、１２ｅから発信された信号Ｓａ、Ｓｂ、Ｓｃ、Ｓｄ、Ｓｅの照射範囲を模式的に示す説明図、図３（ｂ）は、（ａ）に示すＡ−Ａ線の縦断面図である。
【００３４】
図３（ａ）に示すように、Ａ信号発信部１１ａは、第１ベース部１１の中央部付近から、第１ベース部１１に対して垂直な方向に、所定の角度で拡散する信号Ｓａを発信する。そして、Ｂ信号発信部１２ｂは、第２ベース部１２の前面において上辺（Ｂ辺）の中央部付近から、信号Ｓａの発信方向に比べて斜め上方向に向かって、所定の角度で拡散する信号Ｓｂを発信する。更に、Ｃ信号発信部１２ｃは、第２ベース部１２の前面において下辺（Ｃ辺）の中央部付近から、信号Ｓａの発信方向に比べて斜め下方向に向かって、所定の角度で拡散する信号Ｓｃを発信する。また、Ｄ信号発信部１２ｄは、第２ベース部１２の前面において左辺（Ｄ辺）の中央部付近から、信号Ｓａの発信方向の後方から見て斜め左方向に向かって、所定の角度で拡散する信号Ｓｄを発信する。そして、Ｅ信号発信部１２ｅは、第２ベース部１２の前面において右辺（Ｅ辺）の中央部付近から、信号Ｓａの発信方向の後方から見て斜め右方向に向かって、所定の角度で拡散する信号Ｓｅを発信する。この信号発信部１１ａ、１２ｂ、１２ｃ、１２ｄ、１２ｅは、それぞれ異なる種類の信号を発信している。
【００３５】
ここで、各信号Ｓａ、Ｓｂ、Ｓｃ、Ｓｄ、Ｓｅには、例えば、赤外線や可視光線等を用いることができる。また、各信号Ｓａ、Ｓｂ、Ｓｃ、Ｓｄ、Ｓｅは、例えば、周波数が互いに異なる信号や、互いに異なる間隔でのオン、オフからなる信号等とすることで、それぞれ異なる種類の信号とすることができる。
【００３６】
また、第１ベース部１１は、信号発信部１１ａを保持する保持部となるだけでなく、信号Ｓｂ、Ｓｃ、Ｓｄ、Ｓｅの一部であり、信号Ｓａと照射範囲が重複する部分の信号を遮断する信号遮断手段としても機能する。これによって、信号Ｓａと信号Ｓｂ、Ｓｃ、Ｓｄ、Ｓｅとの重複を防ぐことができる。
【００３７】
例えば、図３（ｂ）に示すように、Ｂ信号発信部１２ｂから発信された信号Ｓｂと信号Ｓａとの照射範囲が重複する場合において、第１ベース部１１は、Ｂ信号発信部１２ｂから発信された信号Ｓｂの一部であり、信号Ｓａの照射範囲の方向に向かってＢ信号発信部１２ｂから発信される信号を含む信号Ｓｂ’を遮断する。これによって、信号Ｓａが発信される方向と異なる方向にＢ信号発信部１２ｂから発信された、信号Ｓｂから信号Ｓｂ’を除いた部分の信号のみが、第１ベース部１１によって遮断されずに送信されるため、信号Ｓａと信号Ｓｂとの照射範囲の重複を防ぐことができる。
【００３８】
また、第２ベース部１２の信号発信部１２ｂ、１２ｃ、１２ｄ、１２ｅから発信された信号Ｓｂ、Ｓｃ、Ｓｄ、Ｓｅの照射範囲が介在部１３の延長線上において相互に重複する場合においても、第１ベース部１１は、それぞれの信号Ｓｂ、Ｓｃ、Ｓｄ、Ｓｅの一部であり、介在部１３に近い部分の信号を遮断するため、信号Ｓｂ、Ｓｃ、Ｓｄ、Ｓｅが相互に重ならないようにすることができる。
【００３９】
なお、ここでは、各信号発信部１１ａ、１２ｂ、１２ｃ、１２ｄ、１２ｅは、それぞれ発散する方向に向けて第１ベース部１１及び第２ベース部１２に配置され、それぞれ異なる方向へ信号Ｓａ、Ｓｂ、Ｓｃ、Ｓｄ、Ｓｅを発信する構成としているが、同一の方向に配置されていても良い。つまり、例えば、各信号発信部１１ａ、１２ｂ、１２ｃ、１２ｄ、１２ｅが、各ベース部１１、１２に対して垂直方向に向けて第１ベース部１１及び第２ベース部１２に配置され、垂直方向に所定の角度で拡散する信号Ｓａ、Ｓｂ、Ｓｃ、Ｓｄ、Ｓｅを発信するようにし、第１ベース部１１によって、照射範囲が重なる部分の信号を遮断することで、信号Ｓａ、Ｓｂ、Ｓｃ、Ｓｄ、Ｓｅとの照射範囲を重複させずに、各信号Ｓａ、Ｓｂ、Ｓｃ、Ｓｄ、Ｓｅが互いに発散する方向に送信されるようにしてもよい。
【００４０】
以上のように遠隔操作装置１０を構成することで、遠隔操作装置１０は、各信号発信部１１ａ、１２ｂ、１２ｃ、１２ｄ、１２ｅからそれぞれ異なる方向に向けて、それぞれ異なる種類の信号Ｓａ、Ｓｂ、Ｓｃ、Ｓｄ、Ｓｅを発信する。
【００４１】
なお、遠隔操作装置１０は、スイッチ（図示せず）を備え、このスイッチがオンにされたときのみ、各信号Ｓａ、Ｓｂ、Ｓｃ、Ｓｄ、Ｓｅを発信するようにしてもよい。
【００４２】
またここでは、遠隔操作装置１０は、第１ベース部１１と第２ベース部１２とを備え、第１ベース部１１によって信号Ｓａ、Ｓｂ、Ｓｃ、Ｓｄ、Ｓｅの照射範囲が重なる部分の信号を遮断するようにして、各信号が異なる方向に送信されるようにしているが、全ての信号が重ならないように信号発信部を配置できるならば、遠隔操作装置１０の構造は必ずしも図２のようにベース部を二重にする必要はない。
【００４３】
更に、ここでは、第１ベース部１１の中心部の位置と第２ベース部１２の上下左右の各辺に近い位置とに５つの信号発信部１１ａ、１２ｂ、１２ｃ、１２ｄ、１２ｅを設置した場合について説明したが、本発明の遠隔操作装置１０は、複数の異なる種類の信号を発信できれば良く、そのために２つ以上の信号発信部を備えていれば良い。
【００４４】
ここで、図４を参照して、遠隔操作装置の変形例について説明する。図４（ａ）は、遠隔操作装置において、１つのベース部に信号発信部を配置した例を示した斜視図、図４（ｂ）は、遠隔操作装置において、９つの信号発信部を設けた例を示した斜視図である。
【００４５】
例えば、図４（ａ）に示すように、遠隔操作装置２０の１つのベース部２１に５つの信号発信部１１ａ、１２ｂ、１２ｃ、１２ｄ、１２ｅを、この信号発信部１１ａ、１２ｂ、１２ｃ、１２ｄ、１２ｅから発信される信号が互いに異なる方向に送信されるように、それぞれ異なる方向に向けて配置する構造としてもよい。
【００４６】
更に、図４（ｂ）に示すように、遠隔操作装置３０の第１ベース部３１及び第２ベース部３２をそれぞれ８角形とし、遠隔操作装置３０が、第１ベース部３１の前面の中央部付近にＡ信号発信部３１ａと、第２ベース部３２の前面において各辺の中央部付近に、それぞれ、Ｂ信号発信部３２ｂ、Ｃ信号発信部３２ｃ、Ｄ信号発信部３２ｄ、Ｅ信号発信部３２ｅ、Ｆ信号発信部３２ｆ、Ｇ信号発信部３２ｇ、Ｈ信号発信部３２ｈ、及びＩ信号発信部３２ｉを備え、これらの９つの信号発信部が互いに異なる向きに信号を発信するように配置されていてもよい。また、図示しないが、遠隔操作装置が、第１ベース部及び第２ベース部、あるいは、１つのベース部に２つの信号発信部を備え、これらの２つの信号発信部が互いに異なる向きに信号を発信するように配置されていても良い。
【００４７】
［テレビジョン受像機の構成］
次に、図５を参照（適宜図１参照）して、テレビジョン受像機５の構成について説明する。図５は、テレビジョン受像機５の構成を示したブロック図である。なお、このテレビジョン受像機５は、一般的なテレビジョン受像機に信号受信制御装置６を備えたものであるので、ここでは遠隔操作に関連する信号受信制御装置６と、機器制御部１０７とについてのみ説明する。
【００４８】
信号受信制御装置６は、遠隔操作装置１０から送信される信号を受信し、その信号の種類を識別して、その信号の組み合わせのパターンから、テレビジョン受像機５に対する遠隔操作の操作指令を解析するものである。信号受信制御装置６は、信号受信部１０１、信号識別手段１０２、信号解析手段１０３、タイマ１０４ａ、１０４ｂ、受信信号記憶手段１０５及び信号パターン記憶手段１０６を備えている。
【００４９】
信号受信部（信号受信手段）１０１は、遠隔操作装置１０から送信される信号を受信するものである。ここで受信された信号は、信号識別手段１０２に出力される。
【００５０】
信号識別手段１０２は、信号受信部１０１が受信した信号の種類を識別、つまり、遠隔操作装置１０の、どの信号発信部から発信された信号であるかを識別し、信号の種類の変化を検出するものである。そして、信号の種類が変化した場合には、信号識別手段１０２は、新たに入力された信号の種類を信号解析手段１０３へ出力する。なお、遠隔操作装置１０から出力される信号Ｓａ、Ｓｂ、Ｓｃ、Ｓｄ、Ｓｅは、例えば、周波数や、信号のオン、オフの間隔などがそれぞれ異なる信号であるため、信号識別手段１０２は、この違いに基づいて、信号受信部１０１で受信した信号の種類を識別することができる。
【００５１】
信号解析手段１０３は、信号パターン記憶手段１０６に記憶された、遠隔操作装置１０の信号の種類の組み合わせのパターンとテレビジョン受像機５に対する操作指令とを対応させた信号パターンと、信号識別手段１０２によって識別された信号の種類の識別結果とに基づいて、信号受信部１０１で受信した信号によって示される操作指令を解析するものである。
【００５２】
なお、信号解析手段１０３は、信号識別手段１０２によって識別された信号の種類を受信信号記憶手段１０５に記憶し、この受信信号記憶手段１０５に記憶された、信号受信部１０１で受信した信号の種類の情報と、信号パターン記憶手段１０６に記憶された信号パターンとを比較して操作指令を解析する。ここで解析された操作指令は、機器制御部１０７に出力される。また、ここでは、信号解析手段１０３は、信号識別手段１０２から信号の種類の情報が入力された場合には、タイマ１０４ａをリセットして計測を開始する指令を出力することとした。そして、信号解析手段１０３は、タイマ１０４ａから入力される所定時間経過の通知に基づいて、信号受信部１０１によって同一信号を継続して受信する時間がこの所定時間を超えたと判断することとした。
【００５３】
更に、信号解析手段１０３は、所定の信号Ｓｂ、Ｓｃ、Ｓｄ、Ｓｅのいずれかが、タイマ１０４ａからの通知に基づいて当該タイマ１０４ａに予め設定された所定時間を超えて継続して受信されていることを判断し、継続して受信されている信号の示す操作指令を機器制御部１０７に出力するごとに、タイマ１０４ｂをリセットして計測を開始する指令を出力することとした。そして、タイマ１０４ｂから入力される所定時間経過の通知に基づいて、信号解析手段１０３は、継続して受信されている信号の示す操作指令を出力した後に更に同一の信号を継続して受信する時間が所定時間を超えたと判断し、同一の操作指令を再度機器制御部１０７に出力することとした。これによって、信号解析手段１０３は、信号受信部１０１によって同一の信号が継続して受信された時間に応じて、同一の操作を行う操作指令を繰り返し機器制御部１０７に出力することができる。
【００５４】
ここで、図６及び図７を参照（適宜図５参照）して、信号解析手段１０３が、信号識別手段１０２によって識別された識別結果を受信信号記憶手段１０５に記憶し、信号パターン記憶手段１０６に記憶された信号パターンに基づいて、この信号の種類の組み合わせのパターンから操作指令を解析する例について説明する。図６は、信号識別手段１０２によって識別された信号の種類の情報から、操作指令を解析する例を説明するための説明図である。図７は、信号識別手段１０２によって識別された信号の種類の情報から、操作指令を解析する他の例を説明するための説明図である。
【００５５】
なお、ここでは、信号パターン記憶手段１０６に、表示画面上のカーソルを連続的に下に移動する操作指令となる信号の種類の組み合わせパターンとして、信号Ｓｂが所定時間（ここでは１秒間）以上継続して入力されるパターンを示す「Ｓｂ」（ｔ＞１）（信号パターンＰ１）が登録され、同様に、カーソルを連続的に上に移動する操作指令となるパターンとして「Ｓｃ」（ｔ＞１）（信号パターンＰ２）が、カーソルを連続的に右に移動する操作指令となるパターンとして「Ｓｄ」（ｔ＞１）（信号パターンＰ３）が、カーソルを連続的に左に移動する操作指令となるパターンとして「Ｓｅ」（ｔ＞１）（信号パターンＰ４）が登録されているとする。なお、ここでｔは、同一の信号を継続して受信している時間であり、この時間が１秒間を超えた場合には、後記するタイマ１０４ａによって通知される。更に、信号パターン記憶手段１０６には、表示画面上のカーソルを１つ下に移動する操作指令となる信号の種類の組み合わせパターンとして、信号Ｓａ、信号Ｓｂ、信号Ｓａがこの順に入力されるパターンを示す「Ｓａ」「Ｓｂ」「Ｓａ」（信号パターンＰ５）が登録され、同様に、カーソルを１つ上に移動する操作指令となるパターンとして「Ｓａ」「Ｓｃ」「Ｓａ」（信号パターンＰ６）が、カーソルを１つ右に移動する操作指令となるパターンとして「Ｓａ」「Ｓｄ」「Ｓａ」（信号パターンＰ７）が、カーソルを１つ左に移動する操作指令となるパターンとして「Ｓａ」「Ｓｅ」「Ｓａ」（信号パターンＰ８）が登録され、また、表示画面上の現在のカーソル位置で決定する操作指令となる信号の種類の組み合わせパターンとして「Ｓａ」「Ｓｂ」「Ｓｅ」「Ｓｃ」「Ｓｄ」「Ｓａ」（信号パターンＰ９）が登録されているとする。
【００５６】
図６（ａ）に示すように、信号解析手段１０３に、受信した信号の種類の情報として、信号識別手段１０２から「Ｓａ」が入力されたとする。すると、信号解析手段１０３は、この信号の種類「Ｓａ」を受信した信号の履歴として受信信号記憶手段１０５に記憶し、タイマ１０４ａをリセットして計測を開始する指令を出力する。
【００５７】
そして、信号解析手段１０３は、受信信号記憶手段１０５に記憶された信号の種類の組み合わせのパターンと、信号パターン記憶手段１０６に記憶された信号パターンＰ５〜Ｐ９とについてパターンマッチングを行う。ここで、受信信号記憶手段１０５には、受信した信号の履歴として「Ｓａ」が記憶されている。そこで、信号解析手段１０３は、この「Ｓａ」と、信号パターン記憶手段１０６に記憶された信号パターンとについてパターンマッチングを行う。ここで、信号パターン記憶手段１０６には、「Ｓａ」と一致する信号パターンが登録されていないので、信号解析手段１０３は、パターンマッチングを行った結果、該当するパターンがないと判断する。
【００５８】
次に、図６（ｂ）に示すように、信号解析手段１０３に、受信した信号の種類の情報として、信号識別手段１０２から「Ｓｂ」が入力されたとする。すると、信号解析手段１０３は、この信号「Ｓｂ」を受信した信号の履歴として受信信号記憶手段１０５に記憶し、タイマ１０４ａをリセットして、再び最初から継続時間の計測を開始する指令を出力する。
【００５９】
そして、信号解析手段１０３は、受信信号記憶手段１０５に記憶された信号の種類の組み合わせのパターンと、信号パターン記憶手段１０６に記憶された信号パターンＰ５〜Ｐ９とについてパターンマッチングを行う。ここで、受信信号記憶手段１０５には、信号の履歴として「Ｓａ」「Ｓｂ」が記憶されている。すると、信号解析手段１０３は、この「Ｓａ」「Ｓｂ」と、信号パターン記憶手段１０６に記憶された信号パターンとについてパターンマッチングを行う。ここで、信号パターン記憶手段１０６には、「Ｓａ」「Ｓｂ」と一致する信号パターンが登録されていないので、信号解析手段１０３は、パターンマッチングを行った結果、該当するパターンがないと判断する。
【００６０】
また、図６（ｃ）に示すように、信号受信部１０１によって信号Ｓｂが受信されてから１秒以内に、信号Ｓａが受信され、信号解析手段１０３に、受信した信号の情報として、信号識別手段１０２から「Ｓａ」が入力されたとする。すると、信号解析手段１０３は、この信号の情報「Ｓａ」を受信した信号の履歴として受信信号記憶手段１０５に記憶し、タイマ１０４ａをリセットして、再び最初から継続時間の計測を開始する指令を出力する。
【００６１】
そして、信号解析手段１０３は、受信信号記憶手段１０５に記憶された信号の種類の組み合わせのパターンと、信号パターン記憶手段１０６に記憶された信号パターンＰ５〜Ｐ９とについてパターンマッチングを行う。ここで、受信信号記憶手段１０５には、信号の履歴として「Ｓａ」「Ｓｂ」「Ｓａ」が記憶されている。すると、信号解析手段１０３は、この「Ｓａ」「Ｓｂ」「Ｓａ」と、信号パターン記憶手段１０６に記憶された信号パターンＰ５〜Ｐ９とについてパターンマッチングを行う。ここで、信号パターン記憶手段１０６には、表示画面上のカーソルを１つ下に移動する操作指令を示す信号の種類の組み合わせパターンとして「Ｓａ」「Ｓｂ」「Ｓａ」（信号パターンＰ５）が登録されているので、信号解析手段１０３は、信号受信部１０１によって受信した信号の種類の組み合わせのパターン「Ｓａ」「Ｓｂ」「Ｓａ」が、表示画面上のカーソルを１つ下に移動する操作指令を示すと判断して、この操作指令を機器制御部１０７に出力する。そして、受信信号記憶手段１０５に記憶された信号の履歴を消去する。
【００６２】
同様にして、例えば、図７（ａ）に示すように、信号解析手段１０３に、信号識別手段１０２から「Ｓａ」が入力されたとする。すると、信号解析手段１０３は、「Ｓａ」を受信信号記憶手段１０５に記憶し、タイマ１０４ａをリセットして計測を開始する指令を出力する。そして、信号解析手段１０３は、受信信号記憶手段１０５に記憶されたパターンと信号パターン記憶手段１０６に記憶された信号パターンとのパターンマッチングを行い、該当するパターンがないと判断する。
【００６３】
次に、図７（ｂ）に示すように、信号解析手段１０３に、信号識別手段１０２から「Ｓｂ」が入力されたとする。すると、信号解析手段１０３は、「Ｓｂ」を受信信号記憶手段１０５に記憶し、タイマ１０４ａをリセットして、再び最初から継続時間の計測を開始する指令を出力する。そして、信号解析手段１０３は、受信信号記憶手段１０５に記憶されたパターンと信号パターン記憶手段１０６に記憶された信号パターンとのパターンマッチングを行い、該当するパターンがないと判断する。
【００６４】
ここで、信号受信部１０１において信号Ｓｂが継続して受信され、図７（ｃ）に示すように、信号解析手段１０３は、タイマ１０４ａから１秒経過したことを通知されたとする。すると、信号解析手段１０３は、信号Ｓｂが１秒以上継続して入力されていると判断する。
【００６５】
そして、信号解析手段１０３は、信号パターン記憶手段１０６に記憶された信号パターンＰ１〜Ｐ４のパターンを参照する。ここで、信号パターン記憶手段１０６には、表示画面上のカーソルを連続的に下に移動する操作指令となる信号の種類の組み合わせパターンとして、信号「Ｓｂ」を１秒間以上継続して入力されていることを示す「Ｓｂ」（ｔ＞１）（信号パターンＰ１）が登録されているので、信号解析手段１０３は、信号受信部１０１によって受信した信号が、表示画面上のカーソルを連続的に下に移動する操作指令を示すと判断して、この操作指令を機器制御部１０７に出力する。
【００６６】
具体的には、信号解析手段１０３は、タイマ１０４ａから１秒経過したことを通知されると、表示画面上のカーソルを１つ下に移動する操作指令を機器制御部１０７に出力する。そして、信号解析手段１０３は、後記するタイマ１０４ｂに、所定時間（ここでは、例えば、０．２秒間）を計測する指令を出力する。ここで、信号受信部１０１において、更に０．２秒間継続して信号Ｓｂが受信されたとする。すると、信号解析手段１０３は、タイマ１０４ｂから０．２秒経過したことを通知され、この通知に基づいて、信号解析手段１０３は、再度、表示画面上のカーソルを１つ下に移動する操作指令を機器制御部１０７に出力する。そして、信号解析手段１０３は、タイマ１０４ｂに、所定時間を計測する指令を出力し、タイマ１０４ｂから所定時間経過したことを通知された場合には、表示画面上のカーソルを１つ下に移動する操作指令を機器制御部１０７に出力する動作を、受信している信号が変化するまで、つまり、信号識別手段１０２から新たな信号の種類の情報が入力されるまで繰り返す。
【００６７】
以上のようにして、信号解析手段１０３は、信号パターン記憶手段１０６に記憶された信号パターンと信号識別手段１０２によって識別された識別結果とに基づいて、操作指令を解析することができる。
【００６８】
図５に戻って説明を続ける。タイマ１０４ａ、１０４ｂは、信号解析手段１０３からの指令に基づいて、所定の時間長を計測するものである。なお、ここでは、タイマ１０４ａ、１０４ｂは、信号解析手段１０３から入力される指令に基づいて、計測時間をリセットして計測を開始し、計測時間がタイマ１０４ａ、１０４ｂに予め設定された所定時間に達した場合には、信号解析手段１０３に所定時間経過したことを通知することとした。
【００６９】
受信信号記憶手段１０５は、信号識別手段１０２で識別された信号の種類の情報を、受信した信号の履歴として一時的に記憶するもので、ＲＡＭ（Ｒａｎｄｏｍ  Ａｃｃｅｓｓ  Ｍｅｍｏｒｙ）等の一般的な記憶手段である。この受信信号記憶手段１０５は、信号解析手段１０３によって書き込まれ、この信号解析手段１０３が、操作指令を解析する際に参照される。
【００７０】
信号パターン記憶手段（信号パターン記憶装置）１０６は、遠隔操作装置１０から入力される信号の種類の組み合わせのパターンと、テレビジョン受像機５のデバイス（図示せず）に対する操作指令とを対応させた信号パターンを予め記憶するもので、半導体メモリ、ハードディスク等の一般的な記憶手段である。この信号パターン記憶手段１０６は、信号解析手段１０３が、操作指令を解析する際に参照される。
【００７１】
機器制御部１０７は、信号解析手段１０３から入力される操作指令に従って、テレビジョン受像機５のデバイス（図示せず）の制御を行うものである。なお、この機器制御部１０７によって制御されるデバイスには、例えば、表示画面に表示する映像を生成するデバイスや、出力する音声の音量を調整するデバイス、受信した放送波から特定のチャンネルの放送データを抽出するデバイス等がある。
【００７２】
以上のようにテレビジョン受像機５を構成することで、テレビジョン受像機５は、信号受信制御装置６によって、遠隔操作装置１０から信号を受信して信号の種類を識別し、受信した信号の種類の組み合わせのパターンからテレビジョン受像機５に対する操作指令を解析して、操作指令を機器制御部１０７に出力する。そして、この操作指令に基づいて、機器制御部１０７によってテレビジョン受像機５のデバイスの制御を行うことができる。
【００７３】
また、信号受信制御装置６は、一般的なコンピュータにプログラムを実行させ、コンピュータ内の演算装置や記憶装置を動作させることで実現することができる。このプログラム（信号受信制御プログラム）は、通信回線を介して配布することもできるし、また、ＣＤ−ＲＯＭ等の記録媒体に記録して配布することも可能である。
【００７４】
更に、ここではタイマ１０４ａとタイマ１０４ｂとを備える構成としたが、本発明の信号受信制御装置６は、タイマ１０４ａとタイマ１０４ｂに替えて、信号解析手段１０３によって計測する時間を設定できるタイマ（図示せず）を１つ備えることとしても良い。
【００７５】
［遠隔操作システムの動作］
次に、図１及び図８から図１０を参照して、本発明における遠隔操作システム１の動作について説明する。ここでは、まず、図１を参照して、遠隔操作装置１０の動作について説明し、続いて、図８から図１０を参照して、テレビジョン受像機５の動作について説明する。
【００７６】
［遠隔操作装置の動作］
まず、図１を参照して、遠隔操作装置１０の動作について説明する。ここでは、ユーザが遠隔操作装置１０に延在しているスティック１４を手で持ち、遠隔操作装置１０をテレビジョン受像機５の信号受信部１０１に向けて遠隔操作を行う場合について説明する。
【００７７】
遠隔操作装置１０は、各信号発信部１１ａ、１２ｂ、１２ｃ、１２ｄ、１２ｅから信号Ｓａ、Ｓｂ、Ｓｃ、Ｓｄ、Ｓｅを発信している。そして、ユーザによって、遠隔操作装置１０が、テレビジョン受像機５の信号受信部１０１に対して所定の方向に向けられると、このときに遠隔操作装置１０からテレビジョン受像機５の方向に発信されている信号が、テレビジョン受像機５の信号受信部１０１に送信される。
【００７８】
例えば、ユーザによって、遠隔操作装置１０の第１ベース部１１の、信号発信部１１ａを備える面（前面）がテレビジョン受像機５の信号受信部１０１に正対するように向けられている場合は、Ａ信号発信部１１ａの発信する信号Ｓａの照射範囲に信号受信部１０１が含まれるため、信号Ｓａが信号受信部１０１に対して送信される。この状態から遠隔操作装置１０が所定角度だけ下方向に向けられた場合には、Ａ信号発信部１１ａの発信する信号Ｓａの照射範囲に信号受信部１０１が含まれなくなり、信号Ｓａは信号受信部１０１に対して送信されなくなる。そして、遠隔操作装置１０が更に所定角度だけ下方向に向けられると、Ｂ信号発信部１２ｂの発信する信号Ｓｂの照射範囲に信号受信部１０１が含まれるようになるため、信号Ｓｂが信号受信部１０１に対して送信される。
【００７９】
そして、この状態からユーザによって遠隔操作装置１０がもとの向きに戻された場合には、まず、Ｂ信号発信部１２ｂの発信する信号Ｓｂの照射範囲に信号受信部１０１が含まれなくなり、信号Ｓｂは信号受信部１０１に対して送信されなくなる。その後、Ａ信号発信部１１ａが発信する信号Ｓａの照射範囲に信号受信部１０１が含まれるようになり、信号Ｓａが信号受信部１０１に対して送信される。
【００８０】
つまり、ユーザによって遠隔操作装置１０が信号受信部１０１に向けられた状態から下方向に振られ、再びまっすぐ受信部に向けた状態に戻された場合には、遠隔操作装置１０は信号受信部１０１に対して、まず信号Ｓａを送信し、次いで信号Ｓｂを送信し、その後再度信号Ｓａを送信する。同様にして、例えば、遠隔操作装置１０が上方向へ振られて戻された場合には、遠隔操作装置１０は信号受信部１０１に対して、信号Ｓａ、信号Ｓｃ、信号Ｓａの順に信号を送信し、右方向へ振られて戻された場合には、遠隔操作装置１０は、信号Ｓａ、信号Ｓｄ、信号Ｓａの順に信号を送信し、更に、左方向へ振られて戻された場合には、遠隔操作装置１０は、信号Ｓａ、信号Ｓｅ、信号Ｓａの順に信号を送信する。また、遠隔操作装置１０が信号受信部１０１に向けられた状態から、下方向に振られた後に、信号受信部１０１に向かって円を描くように時計回りに１回転された場合は、遠隔操作装置１０は、信号受信部１０１に対して、信号Ｓａ、信号Ｓｂ、信号Ｓｅ、信号Ｓｃ、信号Ｓｄ、信号Ｓａの順に信号を送信する。
【００８１】
このようにして、遠隔操作装置１０を信号受信部１０１に対して所定の向きに向けることで、遠隔操作装置１０は、その向きに対応した信号を信号受信部１０１に対して送信することができる。
【００８２】
［信号受信制御装置の動作］
次に、図８から図１０を参照（適宜図１及び図５参照）して、本発明におけるテレビジョン受像機５の信号受信制御装置６の動作について説明する。なお、ここでは、信号解析手段１０３が、信号識別手段１０２から入力される信号の種類の情報に基づいて、信号受信部１０１で受信された信号の示す操作指令を解析する動作について説明する。図８は、信号受信制御装置６の信号解析手段１０３が、信号受信部１０１によって受信された信号の示す操作指令を解析する動作を示したフローチャートである。
【００８３】
また、信号パターン記憶手段１０６には、信号Ｓｂが所定時間以上継続して入力されるパターンが、テレビジョン受像機５の表示画面上のカーソルを連続的に下に移動する操作指令を示すことが登録されているとする。同様に、信号Ｓｃが所定時間以上継続して入力されるパターンが表示画面上のカーソルを連続的に上に移動する操作指令を、信号Ｓｄが所定時間以上継続して入力されるパターンが表示画面上のカーソルを連続的に右に移動する操作指令を、信号Ｓｅが所定時間以上継続して入力されるパターンが表示画面上のカーソルを連続的に左に移動する操作指令を示すことが登録されているとする。更に、信号パターン記憶手段１０６には、信号Ｓａ、信号Ｓｂ、信号Ｓａの順に入力される信号の種類の組み合わせパターンが表示画面上のカーソルを１つ下に移動する操作指令を示すことが登録されているとする。そして同様に、信号Ｓａ、信号Ｓｃ、信号Ｓａの順に入力されるパターンが表示画面上のカーソルを１つ上に移動する操作指令を、信号Ｓａ、信号Ｓｄ、信号Ｓａの順に入力されるパターンが表示画面上のカーソルを１つ右に移動する操作指令を、信号Ｓａ、信号Ｓｅ、信号Ｓａの順に入力されるパターンが表示画面上のカーソルを１つ左に移動する操作指令を、信号Ｓａ、信号Ｓｂ、信号Ｓｅ、信号Ｓｃ、信号Ｓｄ、信号Ｓａの順に入力されるパターンが、表示画面上の現在のカーソル位置で決定する操作指令を示すことが登録されている場合について説明する。
【００８４】
まず、信号解析手段１０３は、信号識別手段１０２から、新たな信号の情報を受信する（ステップＳ１）。そして、信号解析手段１０３は、信号識別手段１０２から受信した信号の種類を、受信信号記憶手段１０５に記憶された受信信号の履歴の最後尾に追加する。そして、タイマ１０４ａをリセットして計測を開始する指令を出力する（ステップＳ２）。続いて、信号解析手段１０３は、受信信号記憶手段１０５に記憶された信号の履歴が、信号パターン記憶手段１０６に登録された信号の種類の組み合わせパターンのいずれかと一致するかを判断する（ステップＳ３）。そして、信号パターン記憶手段１０６に登録されたパターンのいずれかと一致する場合（ステップＳ３でＹｅｓ）には、信号解析手段１０３は、このパターンが示す操作指令を機器制御部１０７に出力する（ステップＳ４）。そして、信号解析手段１０３は、ステップＳ２において受信信号記憶手段１０５に記憶した信号の種類の情報を削除し（ステップＳ５）、その後、ステップＳ１に戻って、新たな信号を受信する動作以降の動作を行う。
【００８５】
また、信号パターン記憶手段１０６に登録されたパターンのいずれにも一致しない場合（ステップＳ３でＮｏ）には、信号解析手段１０３は、受信している信号がＳａか、つまり、信号識別手段１０２から受信した信号の種類がＳａかを判断する（ステップＳ６）。そして、受信している信号がＳａである場合（ステップＳ６でＹｅｓ）には、ステップＳ１に戻って、新たな信号を受信する動作以降の動作を行う。
【００８６】
また、信号がＳａでない場合（ステップＳ６でＮｏ）には、信号解析手段１０３は、ステップＳ２において計測開始を指示したタイマ１０４ａから１秒経過したことを通知される前に、新たな信号の種類の情報を受信したかを判断する（ステップＳ７）。そして、１秒経過の通知の前に新たな信号の種類の情報を受信した場合（ステップＳ７でＹｅｓ）には、ステップＳ２に戻り、ステップＳ７において受信した信号の情報を受信信号記憶手段１０５に記憶し、タイマ１０４ａに、計測時間をリセットして再度計測を開始する指令を出力する動作以降の動作を行う。
【００８７】
また、タイマ１０４ａからの１秒経過の通知の前に新たな信号の情報を受信しなかった場合、つまり、新たな信号の情報を受信する前にタイマ１０４ａから１秒経過したことを通知された場合（ステップＳ７でＮｏ）には、信号解析手段１０３は、後記する動作によって、この信号を受信している間、つまり、信号識別手段１０２から新たな信号の種類の情報を入力されるまでの間、信号パターン記憶手段１０６に記憶されたパターンに基づいて、この信号の種類に対応する方向に画面上のカーソルを連続的に移動する指令を出力する（ステップＳ８）。そして、信号解析手段１０３は、ステップＳ２において受信信号記憶手段１０５に記憶した信号の種類の情報を削除し（ステップＳ９）、その後、ステップＳ２に戻り、ステップＳ８において受信した信号の情報を受信信号記憶手段１０５に記憶し、タイマ１０４ａに、計測時間をリセットして再度計測を開始する指令を出力する動作以降の動作を行う。
【００８８】
次に、図９を参照して、信号解析手段１０３が、信号パターン記憶手段１０６に記憶された信号の種類の組み合わせパターンのいずれかと、受信信号記憶手段１０５に記憶された信号の履歴とが一致するかを判断し（図８のステップＳ３）、一致する場合に、このパターンが示す操作指令を機器制御部１０７に出力する（図８のステップＳ４）動作について説明する。図９は、信号解析手段１０３が、信号の履歴を、信号パターン記憶手段１０６に記憶された信号の種類の組み合わせのパターンと照合して、このパターンの示す操作指令を出力する動作を示したフローチャートである。
【００８９】
まず、信号解析手段１０３は、信号パターン記憶手段１０６に基づいて、受信信号記憶手段１０５に記憶された信号の履歴が、信号Ｓａ、信号Ｓｂ、信号Ｓａの順に受信したことを示すかを判断する（ステップＳ３１）。つまり、信号解析手段１０３は、これまでに受信した信号が、信号パターン記憶手段１０６に記憶されている信号Ｓａ、信号Ｓｂ、信号Ｓａの順に入力されるパターンと一致するかを判断する。そして、信号Ｓａ、信号Ｓｂ、信号Ｓａの順に受信している場合（ステップＳ３１でＹｅｓ）には、信号解析手段１０３は、信号パターン記憶手段１０６に基づいて、この信号のパターンが示す操作指令である、表示画面上のカーソルを１つ下に移動する指令を機器制御部１０７に出力し（ステップＳ４１）、図８のステップＳ５に進む。
【００９０】
また、信号Ｓａ、信号Ｓｂ、信号Ｓａの順に受信していない場合（ステップＳ３１でＮｏ）には、信号解析手段１０３は、受信信号記憶手段１０５に記憶された信号の履歴が、信号Ｓａ、信号Ｓｃ、信号Ｓａの順に受信したことを示すかを判断する（ステップＳ３２）。そして、信号Ｓａ、信号Ｓｃ、信号Ｓａの順に受信している場合（ステップＳ３２でＹｅｓ）には、信号解析手段１０３は、信号パターン記憶手段１０６に基づいて、機器制御部１０７に表示画面上のカーソルを１つ上に移動する指令を出力し（ステップＳ４２）、図８のステップＳ５に進む。
【００９１】
また、信号Ｓａ、信号Ｓｃ、信号Ｓａの順に受信していない場合（ステップＳ３２でＮｏ）には、信号解析手段１０３は、受信信号記憶手段１０５に記憶された信号の履歴が、信号Ｓａ、信号Ｓｄ、信号Ｓａの順に受信したことを示すかを判断する（ステップＳ３３）。そして、信号Ｓａ、信号Ｓｄ、信号Ｓａの順に受信している場合（ステップＳ３３でＹｅｓ）には、信号解析手段１０３は、信号パターン記憶手段１０６に基づいて、機器制御部１０７に表示画面上のカーソルを１つ右に移動する指令を出力し（ステップＳ４３）、図８のステップＳ５に進む。
【００９２】
また、信号Ｓａ、信号Ｓｄ、信号Ｓａの順に受信していない場合（ステップＳ３３でＮｏ）には、信号解析手段１０３は、受信信号記憶手段１０５に記憶された信号の履歴が、信号Ｓａ、信号Ｓｅ、信号Ｓａの順に受信したことを示すかを判断する（ステップＳ３４）。そして、信号Ｓａ、信号Ｓｅ、信号Ｓａの順に受信している場合（ステップＳ３４でＹｅｓ）には、信号解析手段１０３は、信号パターン記憶手段１０６に基づいて、機器制御部１０７に表示画面上のカーソルを１つ左に移動する指令を出力し（ステップＳ４４）、図８のステップＳ５に進む。
【００９３】
また、信号Ｓａ、信号Ｓｅ、信号Ｓａの順に受信していない場合（ステップＳ３４でＮｏ）には、信号解析手段１０３は、受信信号記憶手段１０５に記憶された信号の履歴が、信号Ｓａ、信号Ｓｂ、信号Ｓｅ、信号Ｓｃ、信号Ｓｄ、信号Ｓａの順に受信したことを示すかを判断する（ステップＳ３５）。そして、信号Ｓａ、信号Ｓｂ、信号Ｓｅ、信号Ｓｃ、信号Ｓｄ、信号Ｓａの順に受信している場合（ステップＳ３５でＹｅｓ）には、信号解析手段１０３は、信号パターン記憶手段１０６に基づいて、機器制御部１０７に表示画面上の現在のカーソルの位置で決定する指令を出力し（ステップＳ４５）、図８のステップＳ５に進む。
【００９４】
また、信号Ｓａ、信号Ｓｂ、信号Ｓｅ、信号Ｓｃ、信号Ｓｄ、信号Ｓａの順に受信していない場合（ステップＳ３５でＮｏ）には、図８のステップＳ６進む。
【００９５】
次に、図１０を参照して、信号解析手段１０３が、タイマ１０４ａから新たな信号の種類の情報を受信してから１秒経過した通知を受信した後に、この信号を受信している間、この信号の種類に対応する方向に画面上のカーソルを連続的に移動する指令を出力する（図８のステップＳ８）動作について説明する。図１０は、同一の種類の信号を１秒以上継続して受信している場合に、信号解析手段１０３が、この信号の種類に対応する方向に画面上のカーソルを連続的に移動する指令を出力する動作を示したフローチャートである。
【００９６】
信号解析手段１０３は、信号パターン記憶手段１０６に記憶されたパターンに基づいて、信号識別手段１０２から入力された信号の種類に対応する方向に、画面上のカーソルを１つ移動させる指令を出力する。つまり、信号解析手段１０３は、信号の種類がＳｂである場合には下に、Ｓｃである場合には上に、Ｓｄである場合には右に、Ｓｅである場合には左に、画面上のカーソルを１つ移動させる指令を機器制御部１０７に出力する。そして、信号解析手段１０３は、タイマ１０４ｂをリセットして計測を開始する指令を出力する（ステップＳ５１）。
【００９７】
そして、信号解析手段１０３は、タイマ１０４ｂから０．２秒経過したことを通知される前に、新たな信号の種類の情報を受信したかを判断する（ステップＳ５２）。そして、０．２秒経過の通知の前に新たな信号の種類の情報を受信しなかった場合、つまり、新たな信号の情報を受信する前にタイマ１０４ｂから０．２秒経過したことを通知された場合（ステップＳ５２でＮｏ）には、ステップＳ５１に戻り、信号識別手段１０２から入力された信号の種類に対応する方向に、画面上のカーソルを１つ移動させる指令を出力し、タイマ１０４ｂの計測開始を指示する動作を行う。
【００９８】
また、タイマ１０４ｂからの０．２秒経過の通知の前に新たな信号の情報を受信した場合（ステップＳ５２でＮｏ）には、そのまま動作を終了する。
【００９９】
以上の動作によって、信号受信制御装置６の信号解析手段１０３は、信号受信部１０１で受信した信号からテレビジョン受像機５に対する操作指令を解析して、この操作指令をテレビジョン受像機５の機器制御部１０７に出力する。
【０１００】
ここで、信号受信制御装置６は、遠隔操作装置１０から入力された信号の種類の組み合わせを操作指令として解析するので、１つの信号に１つの操作指令を対応させた場合には、遠隔操作装置１０の信号の種類の数の操作指令しか対応させられないところ、信号の種類の組み合わせで操作指令を特定することで、少ない種類の信号から多くの様々な操作指令を示すことができ、様々な操作指令をテレビジョン受像機５の機器制御部１０７に出力することができる。
【０１０１】
また、本発明における遠隔操作装置１０が、当該遠隔操作装置１０をある向きに向けることによって、所定の信号をテレビジョン受像機５に送信できるものであるところ、例えば、遠隔操作装置１０が下方向へ振られて戻された場合に信号受信部１０１に対して送信される信号Ｓａ、信号Ｓｂ、信号Ｓａのパターンに対応する操作指令を、表示画面上のカーソルを１つ下に移動する操作指令とするように、遠隔操作装置１０の所定の向きに向ける動きによって信号受信部１０１に対して送信される信号の種類の組み合わせを、その動きから連想される操作指令に予め対応させておくことで、遠隔操作を容易に行うことができる遠隔操作システム１とすることができる。
【０１０２】
なお、ここでは、機器制御部１０７は出力映像を生成するデバイスを指令に基づいて制御して、画面に表示されるカーソルを上下左右に移動する場合について説明したが、本発明の機器制御部１０７には、例えば、音量調整デバイスや受信チャンネル制御デバイス（図示せず）などの、テレビジョン受像機５内の様々なデバイスに対しても適用することができる。
【０１０３】
ここで、図１１と図１２を参照（適宜図１及び図５参照）して、信号受信制御装置６が信号を受信して操作指令を解析する動作について、例を挙げて説明する。ここでは、まず、図１１を参照して、信号受信制御装置６が、信号Ｓａ、信号Ｓｂ、信号Ｓａを全て継続時間１秒間以内に受信した場合における、当該信号受信制御装置６の信号識別手段１０２と、信号解析手段１０３と、タイマ（１秒タイマ）１０４ａと、タイマ（０．２秒タイマ）１０４ｂの動作について説明し、続いて、図１２を参照して、信号受信制御装置６が、信号Ｓａを受信した後、信号Ｓｂを１秒間以上受信して、更に信号Ｓａを受信した場合における動作について説明する。図１１は、信号受信制御装置６が操作指令を解析する動作の例を示したフローチャートである。図１２は、信号受信制御装置６が、操作指令を解析する他の例を示したフローチャートである。
【０１０４】
まず、信号受信制御装置６の信号識別手段１０２は、信号受信部１０１によって受信された信号Ｓａを識別する（ステップＳ６１）。そして、信号識別手段１０２は、信号解析手段１０３にこの信号の種類「Ｓａ」を通知する（ステップＳ６２）。
【０１０５】
この信号の種類「Ｓａ」を受信した信号解析手段１０３は、１秒間を計測する１秒タイマ１０４ａに、計測時間をリセットして計測を開始する指令を出力する（ステップＳ６３）。そして、１秒タイマ１０４ａは、計測時間をリセットし、計測を開始する（ステップＳ６４）。また、信号解析手段１０３は、受信信号記憶手段１０５に記憶された履歴「Ｓａ」について、信号パターン記憶手段１０６に登録されたパターンとパターンマッチングを行い、一致するパターンがないと判断する（ステップＳ６５）。
【０１０６】
続いて、信号識別手段１０２は、信号受信部１０１によって受信された信号Ｓｂを識別する（ステップＳ６６）。そして、信号識別手段１０２は、信号解析手段１０３にこの信号の種類「Ｓｂ」を通知する（ステップＳ６７）。
【０１０７】
この信号の種類「Ｓｂ」を受信した信号解析手段１０３は、１秒タイマ１０４ａに、計測時間をリセットして計測を開始する指令を出力する（ステップＳ６８）。そして、１秒タイマ１０４ａは、計測時間をリセットし、計測を開始する（ステップＳ６９）。また、信号解析手段１０３は、受信信号記憶手段１０５に記憶された履歴「Ｓａ」「Ｓｂ」について、信号パターン記憶手段１０６に登録されたパターンとパターンマッチングを行い、一致するパターンがないと判断する（ステップＳ７０）。
【０１０８】
更に、信号識別手段１０２は、信号受信部１０１によって受信された信号Ｓａを識別する（ステップＳ７１）。そして、信号識別手段１０２は、信号解析手段１０３にこの信号の種類「Ｓａ」を通知する（ステップＳ７２）。
【０１０９】
この信号の種類「Ｓａ」を受信した信号解析手段１０３は、１秒タイマ１０４ａに、計測時間をリセットして計測を開始する指令を出力する（ステップＳ７３）。そして、１秒タイマ１０４ａは、計測時間をリセットし、計測を開始する（ステップＳ７４）。また、信号解析手段１０３は、受信信号記憶手段１０５に記憶された履歴「Ｓａ」「Ｓｂ」「Ｓａ」について、信号パターン記憶手段１０６に登録されたパターンとパターンマッチングを行い（ステップＳ７５）、このパターンの示す操作指令である、カーソルを１つ下に移動する指令を出力する（ステップＳ７６）。そして、信号解析手段１０３は、１秒タイマ１０４ａに、計測を停止する指令を出力し（ステップＳ７７）、１秒タイマ１０４ａは、計測を停止する（ステップＳ７８）。
【０１１０】
次に、図１２を参照して、信号識別手段１０２と、信号解析手段１０３と、１秒タイマ１０４ａと、０．２秒タイマ１０４ｂが、信号Ｓａを受信した後、信号Ｓｂを１秒間以上受信して、更に信号Ｓａを受信した場合における動作について説明する。
【０１１１】
まず、信号受信制御装置６の信号識別手段１０２は、信号受信部１０１によって受信された信号Ｓａを識別する（ステップＳ８１）。そして、信号識別手段１０２は、信号解析手段１０３にこの信号の種類「Ｓａ」を通知する（ステップＳ８２）。
【０１１２】
この信号の種類「Ｓａ」を受信した信号解析手段１０３は、１秒タイマ１０４ａに、計測時間をリセットして計測を開始する指令を出力する（ステップＳ８３）。そして、１秒タイマ１０４ａは、計測時間をリセットし、計測を開始する（ステップＳ８４）。また、信号解析手段１０３は、受信信号記憶手段１０５に記憶された履歴「Ｓａ」について、信号パターン記憶手段１０６に登録されたパターンとパターンマッチングを行い、一致するパターンがないと判断する（ステップＳ８５）。
【０１１３】
続いて、信号識別手段１０２は、信号受信部１０１によって受信された信号Ｓｂを識別する（ステップＳ８６）。そして、信号識別手段１０２は、信号解析手段１０３にこの信号の種類「Ｓｂ」を通知する（ステップＳ８７）。
【０１１４】
この信号の種類「Ｓｂ」を受信した信号解析手段１０３は、１秒タイマ１０４ａに、計測時間をリセットして計測を開始する指令を出力する（ステップＳ８８）。そして、１秒タイマ１０４ａは、計測時間をリセットし、計測を開始する（ステップＳ８９）。また、信号解析手段１０３は、受信信号記憶手段１０５に記憶された履歴「Ｓａ」「Ｓｂ」について、信号パターン記憶手段１０６に登録されたパターンとパターンマッチングを行い、一致するパターンがないと判断する（ステップＳ９０）。
【０１１５】
そして、１秒タイマ１０４ａの計測時間が１秒に達すると、１秒タイマ１０４ａは、計測時間が１秒経過したことを通知する（ステップＳ９１）。そこで、この通知を受信した信号解析手段１０３は、信号Ｓｂを１秒間以上継続して受信するパターン「Ｓｂ」（ｔ＞１）について、信号パターン記憶手段１０６に登録されたパターンと照合する（ステップＳ９２）。そして、信号解析手段１０３は、このパターンの示す操作指令である、カーソルを連続的に下に移動する指令を出力する。
【０１１６】
まず、信号解析手段１０３は、カーソルを１つ下に移動する指令を出力し、０．２秒タイマ１０４ｂに計測を開始する指令を出力する（ステップＳ９３）。そして、０．２秒タイマ１０４ｂは、計測を開始する（ステップＳ９４）。そして、０．２秒タイマ１０４ｂの計測時間が０．２秒に達すると、０．２秒タイマ１０４ｂは、計測時間が０．２秒経過したことを通知する（ステップＳ９５）。そこで、この通知を受信した信号解析手段１０３は、信号Ｓｂを更に０．２秒間継続して受信したと判断して、再度カーソルを１つ下に移動する操作指令を出力し、０．２秒タイマ１０４ｂに計測を開始する指令を出力する（ステップＳ９６）。そして、０．２秒タイマ１０４ｂは、計測を開始する（ステップＳ９７）。このようにして、信号解析手段１０３は、信号Ｓｂを受信している間、カーソルを下に移動する指令を連続的に出力する。
【０１１７】
更に、信号識別手段１０２は、信号受信部１０１によって受信された信号Ｓａを識別する（ステップＳ９８）。そして、信号識別手段１０２は、信号解析手段１０３にこの信号の種類「Ｓａ」を通知する（ステップＳ９９）。
【０１１８】
そして、この信号の種類「Ｓａ」を受信した信号解析手段１０３は、０．２秒タイマ１０４ｂに、計測を停止する指令を出力し（ステップＳ１００）、０．２秒タイマ１０４ｂは、計測を停止する（ステップＳ１０１）また、信号解析手段１０３は、１秒タイマ１０４ａに、計測時間をリセットして計測を開始する指令を出力する（ステップＳ１０２）。そして、１秒タイマ１０４ａは、計測時間をリセットし、計測を開始する（ステップＳ１０３）。
【０１１９】
［遠隔操作装置の利用例１］
次に、図１３を参照して、本発明に係る遠隔操作装置の利用例について説明する。図１３は、ユーザの頭部に本発明の遠隔操作装置を取り付けた例を示した説明図である。
【０１２０】
図１３に示すように、遠隔操作装置４０は、第１ベース部４１と、第２ベース部４２と、第１ベース部４１及び第２ベース部４２上に設置された信号発信部４１ａ、４２ｂ、４２ｃ、４２ｄ、４２ｅと、第１ベース部４１及び第２ベース部４２を所定間隔で保持する介在部４３と、これらをユーザの頭部４５に固定するベルト４４とを備える。そして、この遠隔操作装置４０をベルト４４によってユーザの頭部４５に取り付けることで、手の不自由なユーザであっても、ユーザが頭部４５を上下左右に動かすことで、遠隔操作装置４０からテレビジョン受像機５の信号受信部１０１に対して、遠隔操作装置４０の向きに応じた所定の信号を送信することができる。
【０１２１】
［遠隔操作装置の利用例２］
次に、図１４を参照して、本発明に係る遠隔操作装置１０の他の利用例について説明する。図１４は、ボタン（キー）操作によって信号を発信する従来のリモコン装置５０に、本発明の遠隔操作装置１０を搭載した例を示す説明図である。
【０１２２】
図１４に示すように、リモコン装置５０は、ボタン操作に応じて様々な種類の信号を送信する信号送信部５１と、ボタン５２、５２、…と、信号送信部５１の近傍に設けられ、複数の信号発信部が設置された第１ベース部６１及び第２ベース部６２を備えた遠隔操作装置６０と、この遠隔操作装置６０の信号発信部から信号を発信させるスイッチ５３とを備えている。これによって、リモコン装置５０は、ボタン操作によって図示しないテレビジョン受像機の遠隔操作を行えるとともに、ユーザによってスイッチ５３を押し下げられ、更に、テレビジョン受像機に対する向きを変えられることで、スイッチ５３が押し下げられている間だけ遠隔操作装置６０によるテレビジョン受像機の遠隔操作を行うことができる。
【０１２３】
そして、リモコン装置５０は、従来のボタン操作による遠隔操作に適した操作、例えば、テレビジョン受像機のオン、オフ操作や受信チャンネルを選択するような単純な操作等については、ボタン５２、５２、…の操作によって行うことができ、また、ボタン操作による遠隔操作に適さない操作、例えば、テレビジョン受像機の表示画面に表示された多数のメニューの中から所望のメニューを選択する操作等については、遠隔操作装置６０によって操作を行うことができる。
【０１２４】
以上述べた実施の形態は、本発明を説明するための一例であり、本発明は、前記の実施の形態に限定されるものではなく、発明の要旨の範囲で種々の変形が可能である。例えば、前記の実施の形態ではベース部を多角形としたが、多角形に限定されるものではなく、第１ベース部及び第２ベース部、あるいは、１つのベース部を円形、椀状等の様々な形状にしてもよいし、第１ベース部の中心部付近に１つ又は複数の信号発信部を配置し、第２ベース部に１つ又は複数の信号発信部を配置して、それぞれの信号が重複しないようにしても前記の実施の形態と同様の作用効果が得られることはいうまでもない。
【０１２５】
また、本実施の形態では、遠隔操作装置は、信号が互いに重複しないように異なる方向に発信するように構成されていることとしたが、信号受信制御装置が受信した信号に基づいて操作指令を解析するのに支障のない程度であれば、僅かに信号が重複していても構わない。つまり、例えば、遠隔操作装置がユーザによってある向きから他の向きに向きを変えられた場合に、信号受信制御装置が初めに受信していた信号から他の信号を受信する途中に、一時的にこれらの２つの信号が重複した信号を受信しても、最終的に他の信号を受信することができれば、信号受信制御装置はこの信号の種類の情報に基づいて操作指令を解析することができる。そのため、遠隔操作装置から発信される信号同士が僅かに重複していても、前記の実施の形態と同様の作用効果を得ることができる。
【０１２６】
更に、本実施の形態では、遠隔操作装置によってテレビジョン受像機の遠隔操作を行う場合について説明したが、本発明の遠隔操作装置によって遠隔操作される電子機器はテレビジョン受像機に限定されることなく、信号受信制御装置を備える様々な電子機器に適用することができる。
【図面の簡単な説明】
【０１２７】
【図１】本発明における遠隔操作システムを模式的に示す説明図である。
【図２】本発明における遠隔操作装置の構造を示す斜視図である。
【図３】（ａ）は、図２に示す遠隔操作装置の各信号発信部から発信された信号の照射範囲を模式的に示す説明図、（ｂ）は、（ａ）に示すＡ−Ａ線の縦断面図である。
【図４】（ａ）は、本発明における遠隔操作装置において、１つのベース部に信号発信部を配置した例を示した斜視図、（ｂ）は、本発明における遠隔操作装置において、９つの信号発信部を設けた例を示した斜視図である。
【図５】テレビジョン受像機の構成を示したブロック図である。
【図６】信号識別手段によって識別された信号の種類の情報から、操作指令を解析する例を説明するための説明図である。
【図７】信号識別手段によって識別された信号の種類の情報から、操作指令を解析する他の例を説明するための説明図である。
【図８】信号受信制御装置の信号解析手段が、信号受信部で受信された信号の示す操作指令を解析する動作を示したフローチャートである。
【図９】信号解析手段が、信号の履歴を、信号パターン記憶手段に記憶された信号の種類の組み合わせのパターンと照合して、このパターンの示す操作指令を出力する動作を示したフローチャートである。
【図１０】同一の種類の信号を１秒以上継続して受信している場合に、信号解析手段が、この信号の種類に対応する方向に画面上のカーソルを連続的に移動する指令を出力する動作を示したフローチャートである。
【図１１】信号受信制御装置が操作指令を解析する動作の例を示したフローチャートである。
【図１２】信号受信制御装置が、操作指令を解析する他の例を示したフローチャートである。
【図１３】ユーザの頭部に本発明の遠隔操作装置を取り付けた例を示した説明図である。
【図１４】ボタン操作によって信号を発信する従来のリモコン装置に、本発明の遠隔操作装置を搭載した例を示す説明図である。
【符号の説明】
【０１２８】
５      テレビジョン受像機（電子機器）
６      信号受信制御装置
１０、２０、３０、４０、６０  遠隔操作装置
１１、３１、４１、６１  第１ベース部（信号遮断手段）
１１ａ、３１ａ、４１ａ  Ａ信号発信部（信号発信手段）
１２ｂ、３２ｂ、４２ｂ  Ｂ信号発信部（信号発信手段）
１２ｃ、３２ｃ、４２ｃ  Ｃ信号発信部（信号発信手段）
１２ｄ、３２ｄ、４２ｄ  Ｄ信号発信部（信号発信手段）
１２ｅ、３２ｅ、４２ｅ  Ｅ信号発信部（信号発信手段）
３２ｆ  Ｆ信号発信部（信号発信手段）
３２ｇ  Ｇ信号発信部（信号発信手段）
３２ｈ  Ｈ信号発信部（信号発信手段）
３２ｉ  Ｉ信号発信部（信号発信手段）
１０１  信号受信部（信号受信手段）
１０２  信号識別手段
１０３  信号解析手段
１０６  信号パターン記憶手段（信号パターン記憶装置）
【図１】
2005303366.tif 000003
【図２】
2005303366.tif 000004
【図３】
2005303366.tif 000005
【図４】
2005303366.tif 000006
【図５】
2005303366.tif 000007
【図６】
2005303366.tif 000008
【図７】
2005303366.tif 000009
【図８】
2005303366.tif 000010
【図９】
2005303366.tif 000011
【図１０】
2005303366.tif 000012
【図１１】
2005303366.tif 000013
【図１２】
2005303366.tif 000014
【図１３】
2005303366.tif 000015
【図１４】
2005303366.tif 000016